(57)【要約】【課題】見開きを平たくして見栄えを改善すると共に、ポケットに書類等を入れ易くしてユーザの使い勝手を向上させた書類ホルダ及び該書類ホルダの製造方法を提供する。【解決手段】書類を収納する複数の矩形ポケットを挟み持つ書類ホルダ１００において、第１ポケット２の一つの長辺、及び、第２ポケット３の一つの長辺を繋ぐ連繋片４と、連繋片４が固定される背表紙部６と、第１ポケット２にて、一短辺２８から何れかの長辺の一短辺２８側の一部まで設けられた第１開口２９と、第２ポケット３にて、一短辺３８から何れかの長辺の一短辺３８側の一部まで設けられた第２開口３９とを備える。【選択図】図７
2020040305.tif 000002
【特許請求の範囲】
【請求項１】
書類を収納する複数の矩形ポケットを挟み持つ書類ホルダにおいて、
第１ポケットの一つの長辺、及び、第２ポケットの一つの長辺を繋ぐ連繋片と、
前記連繋片が固定される背表紙部と、
前記第１ポケットにて、一短辺から何れかの長辺の前記一短辺側の一部まで設けられた第１開口と、
前記第２ポケットにて、一短辺から何れかの長辺の前記一短辺側の一部まで設けられた第２開口と
を備えることを特徴とする書類ホルダ。
【請求項２】
前記連繋片は、
前記第１ポケット及び前記第２ポケットの長辺に沿って延びる短冊状であり、
前記第１ポケットの一長辺と、該一長辺に近い前記第２ポケットの他長辺とを繋ぎ、
幅方向の中間部が前記背表紙部に固定されていることを特徴とする請求項１に記載の書類ホルダ。
【請求項３】
前記第１ポケットは前記一長辺に前記第１開口の一部が設けられており、
前記第２ポケットは前記他長辺に前記第２開口の一部が設けられていることを特徴とする請求項２に記載の書類ホルダ。
【請求項４】
前記第１ポケット及び前記第２ポケットは、夫々、重なった２つの矩形のシート部からなり、
前記第１ポケットは、
前記一長辺に沿って前記２つのシート部を接合している第１接合部を有し、
前記第１接合部の前記第１開口側端に、前記第１接合部と交差する方向に延びる第１交差接合部が前記第１ポケット及び前記連繋片に跨るように設けられ、
前記第２ポケットは、
前記他長辺に沿って前記２つのシート部を接合している第２接合部を有し、
前記第２接合部の前記第２開口側端に、前記第２接合部と交差する方向に延びる第２交差接合部が前記第２ポケット及び前記連繋片に跨るように設けられていることを特徴とする請求項２又は３に記載の書類ホルダ。
【請求項５】
前記連繋片は、前記第１ポケットの一シート部及び前記第２ポケットの一シート部に接合しており、
前記第１ポケットの他シート部にて前記第１開口の端に形成された第１切り欠きと、
前記第２ポケットの他シート部にて前記第２開口の端に形成された第２切り欠きとを備えることを特徴とする請求項４に記載の書類ホルダ。
【請求項６】
前記第１切り欠き又は第２切り欠きは円形であることを特徴とする請求項５に記載の書類ホルダ。
【請求項７】
前記第１ポケットは前記一長辺の前記一短辺側端部に面取りが施されており、
前記第２ポケットは前記他長辺の前記一短辺側端部に面取りが施されていることを特徴とする請求項２から６の何れか一つに記載の書類ホルダ。
【請求項８】
前記第１ポケット、前記第２ポケット及び前記連繋片は一体形成されていることを特徴とする請求項１から７の何れか一つに記載の書類ホルダ。
【請求項９】
書類を収納する複数の矩形のポケットを固定する短冊状の背表紙部を備え、前記複数のポケットを挟み持つ書類ホルダの製造方法であって、
同一矩形シート状の二部分が重なり、夫々の短辺にて繋がって一体化されたシート環体に対して、一の部分の長手方向における中間部を、長手方向と交差する方向に、帯状に取り除く切断を行い、
前記一の部分において前記切断によって形成される、２つの矩形の剰余部分の対向する一対の対向長辺を、夫々、一端の一部を除いて他の部分に接合し、
各剰余部分における２つの短辺のうち、前記対向長辺の他端側の短辺を前記他の部分に接合し、
前記他の部分の長手方向の中間部を前記背表紙部に接合することを含む書類ホルダの製造方法。
【請求項１０】
前記一対の対向長辺と、前記他の部分とを溶着し、
各剰余部分における前記対向長辺の前記他端側の前記短辺と、前記他の部分とを溶着することを含む請求項９に記載の書類ホルダの製造方法。
【発明の詳細な説明】
【技術分野】
【０００１】
本発明は、書類を保存する書類ホルダ及び該書類ホルダの製造方法に関する。
【背景技術】
【０００２】
従来から、書類を収納する複数枚のポケットを挟み持つ書類ホルダが広く普及されている。
【０００３】
例えば、特許文献１においては、背表紙を有する表紙の内側に、見開き状態での大きさの筒状のシートを複数枚重ねて左右の各頁に分けるようにその中央部を前記背表紙に溶着させて、書類を収納するポケットを左右に２つ設けたファイルブックが開示されている。
【先行技術文献】
【特許文献】
【０００４】
【特許文献１】特開２００２−０６７５６１号公報
【発明の概要】
【発明が解決しようとする課題】
【０００５】
一方、従来の書類ホルダは、筒状のシートの中央部を背表紙部に溶着することによってシートを２つのポケットに分けているのみであり、ポケット部分と、溶着部分との厚みが同じであるので、溶着部分の付近ではシートが盛り上がる。従って、書類ホルダの見開きが平たくならず、見栄えが悪くなるうえに、溶着部分の付近ではポケットが撓むのでポケットに書類等を入れ難いという問題がある。
しかしながら、特許文献１のファイルブックではこのような問題を解決できない。
【０００６】
本発明は、斯かる事情に鑑みてなされたものであり、その目的とするところは、見開きを平たくして見栄えを改善すると共に、ポケットに書類等を入れ易くしてユーザの使い勝手を向上させた書類ホルダ及び該書類ホルダの製造方法を提供することにある。
【課題を解決するための手段】
【０００７】
本発明に係る書類ホルダは、書類を収納する複数の矩形ポケットを挟み持つ書類ホルダにおいて、第１ポケットの一つの長辺、及び、第２ポケットの一つの長辺を繋ぐ連繋片と、前記連繋片が固定される背表紙部と、前記第１ポケットにて、一短辺から何れかの長辺の前記一短辺側の一部まで設けられた第１開口と、前記第２ポケットにて、一短辺から何れかの長辺の前記一短辺側の一部まで設けられた第２開口とを備えることを特徴とする。
【０００８】
本発明にあっては、第１ポケット及び第２ポケットが連繋片によって繋がっているが、第１ポケット及び第２ポケットと異なり連繋片は一枚からなるのでので、連繋片が背表紙部に固定されても、斯かる固定部付近にて連繋片が盛り上がることはない。
また、第１開口が第１ポケットの一短辺から何れかの長辺の前記一短辺側の一部まで設けられ、第２開口が第２ポケットの一短辺から何れかの長辺の前記一短辺側の一部まで設けられているので、第１ポケット及び第２ポケットに書類を入れ易い。
【０００９】
本発明に係る書類ホルダは、前記連繋片は、前記第１ポケット及び前記第２ポケットの長辺に沿って延びる短冊状であり、前記第１ポケットの一長辺と、該一長辺に近い前記第２ポケットの他長辺とを繋ぎ、幅方向の中間部が前記背表紙部に固定されていることを特徴とする。
【００１０】
本発明にあっては、連繋片は、第１ポケットの一長辺と該一長辺に近い前記第２ポケットの他長辺とを繋ぎ、幅方向の中間部が前記背表紙部に固定される。連繋片は一枚からなるのでので、連繋片が背表紙部に固定されても、幅方向の中間部付近にて連繋片が盛り上がることはない。従って、斯かる書類ホルダの見開き状態での見栄えが良くなる。
【００１１】
本発明に係る書類ホルダは、前記第１ポケットは前記一長辺に前記第１開口の一部が設けられており、前記第２ポケットは前記他長辺に前記第２開口の一部が設けられていることを特徴とする。
【００１２】
本発明にあっては、第１ポケットの一長辺に第１開口の一部が設けられ、前記第２ポケットの他長辺に第２開口の一部が設けられている。即ち、第１ポケット及び第２ポケットにおいて、連繋片側（内側）の長辺の一部がめくられる。従って、外側の長辺の一部がめくられる場合に比べて、斯かる書類ホルダを閉じた場合における見栄えが良くなる。
【００１３】
本発明に係る書類ホルダは、前記第１ポケット及び前記第２ポケットは、夫々、重なった２つの矩形のシート部からなり、前記第１ポケットは、前記一長辺に沿って前記２つのシート部を接合している第１接合部を有し、前記第１接合部の前記第１開口側端に、前記第１接合部と交差する方向に延びる第１交差接合部が前記第１ポケット及び前記連繋片に跨るように設けられ、前記第２ポケットは、前記他長辺に沿って前記２つのシート部を接合している第２接合部を有し、前記第２接合部の前記第２開口側端に、前記第２接合部と交差する方向に延びる第２交差接合部が前記第２ポケット及び前記連繋片に跨るように設けられていることを特徴とする。
【００１４】
本発明にあっては、第１接合部の第１開口側端に、第１接合部と交差する方向に延びる第１交差接合部が第１ポケット及び連繋片に跨るように設けられている。従って、ユーザが第１開口をめくる際の力が、第１交差接合部に直接かかり、第１ポケットの２つのシート部の接合が剥がれることを防止できる。
また、第２接合部の第２開口側端に、第２接合部と交差する方向に延びる第２交差接合部が第２ポケット及び連繋片に跨るように設けられている。従って、ユーザが第２開口をめくる際の力が、第２交差接合部に直接かかり、第２ポケットの２つのシート部の接合が剥がれることを防止できる。
【００１５】
本発明に係る書類ホルダは、前記連繋片は、前記第１ポケットの一シート部及び前記第２ポケットの一シート部に接合しており、前記第１ポケットの他シート部にて前記第１開口の端に形成された第１切り欠きと、前記第２ポケットの他シート部にて前記第２開口の端に形成された第２切り欠きとを備えることを特徴とする。
【００１６】
本発明にあっては、第１ポケットの第１切り欠き及び第２ポケットの第２切り欠きは、ユーザが第１開口又は第２開口をめくる際の力が、第１交差接合部及び第２交差接合部に直接かかる前に、一旦分散させて軽減させる。
【００１７】
本発明に係る書類ホルダは、前記第１切り欠き又は第２切り欠きは円形であることを特徴とする。
【００１８】
本発明にあっては、第１ポケットの第１切り欠き及び第２ポケットの第２切り欠きは円形であるので、ユーザが第１開口又は第２開口をめくる際の力をより効果的に分散させる。
【００１９】
本発明に係る書類ホルダは、前記第１ポケットは前記一長辺の前記一短辺側端部に面取りが施されており、前記第２ポケットは前記他長辺の前記一短辺側端部に面取りが施されていることを特徴とする。
【００２０】
本発明にあっては、第１ポケットの一長辺の一短辺側端部と、第２ポケットの他長辺の一短辺側端部とに面取りが施されているので、ユーザが第１開口又は第２開口をめくる際、指先に傷を負うことを防止できる。
【００２１】
本発明に係る書類ホルダは、前記第１ポケット、前記第２ポケット及び前記連繋片は一体形成されていることを特徴とする。
【００２２】
本発明にあっては、例えば、一枚のシート状の材料から、第１ポケット、第２ポケット及び連繋片を一体形成することによって、斯かる書類ホルダの製造工程を短くできる。
【００２３】
本発明に係る書類ホルダの製造方法は、書類を収納する複数の矩形のポケットを固定する短冊状の背表紙部を備え、前記複数のポケットを挟み持つ書類ホルダの製造方法であって、同一矩形シート状の二部分が重なり、夫々の短辺にて繋がって一体化されたシート環体に対して、一の部分の長手方向における中間部を、長手方向と交差する方向に、帯状に取り除く切断を行い、前記一の部分において前記切断によって形成される、２つの矩形の剰余部分の対向する一対の対向長辺を、夫々、一端の一部を除いて他の部分に接合し、各剰余部分における２つの短辺のうち、前記対向長辺の他端側の短辺を前記他の部分に接合し、前記他の部分の長手方向の中間部を前記背表紙部に接合することを含む。
【００２４】
本発明にあっては、同一矩形シート状の二部分が重なり、夫々の短辺にて繋がって一体化されたシート環体を用い、一の部分の長手方向における中間部を、長手方向と交差する方向に、帯状に取り除き、これによって形成される、２つの矩形の剰余部分の対向する一対の対向長辺を、夫々、一端の一部を除いて他の部分に接合し、各剰余部分における２つの短辺のうち、前記対向長辺の他端側の短辺を前記他の部分に接合する。これによって、第１ポケット、第２ポケット及び連繋片が一体形成される。
以後、シート状の二部分のうち、他の部分の長手方向の中間部を前記背表紙部に接合することによって、一体化された第１ポケット、第２ポケット及び連繋片が固定される。
【００２５】
本発明に係る書類ホルダの製造方法は、前記一対の対向長辺と、前記他の部分とを溶着し、各剰余部分における前記対向長辺の前記他端側の前記短辺と、前記他の部分とを溶着することを含む。
【００２６】
本発明にあっては、溶着によって、一対の対向長辺がシート状の二部分のうち他の部分に接合され、各剰余部分における対向長辺の他端側の短辺が前記他の部分に接合される。
【発明の効果】
【００２７】
本発明によれば、見開きを平たくして見栄えを改善できると共に、ポケットに書類等を入れ易くしてユーザの使い勝手を向上させることができる。
【図面の簡単な説明】
【００２８】
【図１】本実施の形態に係る書類ホルダの外見を示す斜視図である。
【図２】本実施の形態に係る書類ホルダの平面図である。
【図３】本実施の形態に係る書類ホルダの背面図である。
【図４】図２の破線円部分を拡大した拡大図である。
【図５】図３の破線円部分を拡大した拡大図である。
【図６】本実施の形態に係る書類ホルダのポケットペア体の概略的横断面図である。
【図７】本実施の形態に係る書類ホルダの見開き状態を示す図である。
【図８】本実施の形態に係る書類ホルダの製造方法を説明する説明図である。
【図９】本実施の形態に係る書類ホルダの製造方法を説明する説明図である。
【図１０】実施の形態２に係る書類ホルダを見開きした状態において、左右方向における中間部の上部を拡大して示す拡大図である。
【発明を実施するための形態】
【００２９】
以下に、本発明の実施の形態に係る書類ホルダ及び書類ホルダの製造方法について、図面に基づいて詳述する。
【００３０】
（実施の形態１）
図１は、本実施の形態に係る書類ホルダ１００の外見を示す斜視図であり、図２は、本実施の形態に係る書類ホルダ１００の平面図であり、図３は、本実施の形態に係る書類ホルダ１００の背面図である。
【００３１】
書類ホルダ１００は、書類等を収納する扁平な矩形のポケット１を複数備えており、斯かる複数のポケット１，１，…１を挟み持つ表紙部８を更に備えている。例えば、ポケット１は、ポリプロピレン等の熱可塑性合成樹脂からなる。
【００３２】
本実施の形態に係る書類ホルダ１００においては、２つのポケット１が連繋部４によって繋がっている。２つのポケット１及び連繋部４は一つのポケットペア体９を構成する（図６参照）。書類ホルダ１００は複数のポケットペア体９，９，…９を含む。斯かる複数のポケットペア体９は綴じられて表紙部８に固定されている。
【００３３】
以下においては、説明の便宜上、図示横方向を左右方向とし、図示縦方向を上下方向とする。また、一つのポケットペア体９において、連繋部４の左側に配置されたものをポケット２（第１ポケット）と言い、連繋部４の右側に配置されたものをポケット３（第２ポケット）という。例えば、２つのポケット２，３及び連繋部４は一体形成されて一つのポケットペア体９を構成する。
【００３４】
表紙部８は、プラスチック、木等の板材からなり、図示左側の第１表紙部５と、図示右側の第２表紙部７と、第１表紙部５及び第２表紙部７を繋ぐ背表紙部６とを含む。第１表紙部５及び第２表紙部７は同一寸法であり、ポケット１に倣う矩形である。第１表紙部５及び第２表紙部７はポケット１より少し大きい寸法を有する。前記複数のポケット１，１，…１は第１表紙部５及び第２表紙部７によって挟まれる。
【００３５】
背表紙部６は短冊状をなし、長辺の寸法が第１表紙部５及び第２表紙部７の長辺の寸法と同じである。背表紙部６は、一方の長辺が第１表紙部５の一長辺と連結されており、他方の長辺が第２表紙部７の一長辺と連結されている。
背表紙部６の内側面には、ポケットペア体９の連繋部４が固定される（図５参照）。これによって、前記複数のポケットペア体９，９，…９が綴じられる。
【００３６】
図４は、図２の破線円部分を拡大した拡大図であり、図５は、図３の破線円部分を拡大した拡大図であり、図６は、本実施の形態に係る書類ホルダ１００のポケットペア体９の概略的横断面図である。
【００３７】
ポケットペア体９は、上述したように、ポケット２，３及び連繋部４を含む。ポケット２，３は同一大きさの矩形であり、夫々、重なった２つのシート部からなる。詳しくは、ポケット２は、矩形の第１シート部２ａ（他シート部）及び第２シート部２ｂ（一シート部）を有し、ポケット３は矩形の第１シート部３ａ（他シート部）及び第２シート部３ｂ（一シート部）を有する。
【００３８】
ポケット２の第２シート部２ｂと、ポケット３の第２シート部３ｂと、連繋部４とは一枚の大シート９ｂを構成する。換言すれば、第２シート部２ｂと、第２シート部３ｂと、連繋部４は夫々大シート９ｂの一部分である。
【００３９】
更に、大シート９ｂは、第１シート部２ａ及び第１シート部３ａと一体化している。左右方向における大シート９ｂの両端には、第１シート部２ａ及び第１シート部３ａが夫々延設されている。即ち、大シート９ｂの左側端（短辺）には、第１シート部２ａの左側長辺が連設され、大シート９ｂの右側端（短辺）には、第１シート部３ａの右側長辺が連設されている。
【００４０】
例えば、大シート９ｂの左側端から延設された部分を折り返すことによって第１シート部２ａが形成され、大シート９ｂの右側端から延設された部分を折り返すことによって、第１シート部３ａが形成される。
【００４１】
従って、第２シート部２ｂは大シート９ｂにおいて第１シート部２ａに対向する矩形部分であり、第２シート部３ｂは大シート９ｂにおいて第１シート部３ａに対向する矩形部分である。また、ポケット２の左側長辺２４は第１シート部２ａの折り返し部分でもあり、ポケット３の右側長辺３４は第１シート部３ａの折り返し部分でもある。
【００４２】
ポケット２は、上側短辺２８に第１開口２９が形成されている。第１開口２９は上側短辺２８から右側長辺２６の一部まで設けられている。詳しくは、第１開口２９は、右側長辺２６において、上側短辺２８側の一部２６１まで設けられている。
【００４３】
更に、ポケット２は、右側長辺２６の辺縁部が第２シート部２ｂの長辺部に接合されている。例えば、右側長辺２６の辺縁部は第２シート部２ｂの長辺部に溶着されており、これによって、右側長辺２６に沿って右長辺溶着部２１（第１接合部）が破線状に形成されている（図４参照）。詳しくは、右長辺溶着部２１は、右側長辺２６において、上側短辺２８側の一部２６１を除いた部分に形成されている。
【００４４】
また、ポケット２は、下側短辺２７の辺縁部が第２シート部２ｂの下側短辺部に接合されている。例えば、下側短辺２７の辺縁部は第２シート部２ｂの下側短辺部に溶着されており、これによって、下側短辺２７に沿って下短辺溶着部２２が形成されている。
【００４５】
ポケット３は、上側短辺３８に第２開口３９が形成されている。第２開口３９は上側短辺３８から左側長辺３６の一部まで設けられている。詳しくは、第２開口３９は、左側長辺３６において、上側短辺３８側の一部３６１まで設けられている。
【００４６】
更に、ポケット３は、左側長辺３６の辺縁部が第２シート部３ｂの長辺部に接合されている。例えば、左側長辺３６の辺縁部は第２シート部３ｂの長辺部に溶着されており、これによって、左側長辺３６に沿って左長辺溶着部３１（第２接合部）が破線状に形成されている（図４参照）。詳しくは、左長辺溶着部３１は、左側長辺３６において、上側短辺３８側の一部３６１を除いた部分に形成されている。
【００４７】
また、ポケット３は、下側短辺３７の辺縁部が第２シート部３ｂの下側短辺部に接合されている。例えば、下側短辺３７の辺縁部は第２シート部３ｂの下側短辺部に溶着されており、これによって、下側短辺３７に沿って下短辺溶着部３２が形成されている。
【００４８】
以上の構成によって、ポケット２，３は矩形の袋状を形成する。
【００４９】
以上のような第１開口２９及び第２開口３９を有する、本実施の形態に係る書類ホルダ１００は、ポケット２，３に書類等を収納する際、図７に示すように、右側長辺２６において上側短辺２８側の一部２６１（左側長辺３６において上側短辺３８側の一部３６１）をめくって第１開口２９（第２開口３９）を広げる。従って、上側短辺２８又は上側短辺３８にのみ設けられた場合に比べて開口が大きく、書類等の収納が容易になる。
【００５０】
また、本実施の形態に係る書類ホルダ１００においては、第１開口２９及び第２開口３９が、上側短辺２８及び上側短辺３８から内側長辺、即ち一部２６１及び一部３６１にかけて形成されているので、開口が外側長辺、即ち左側長辺２４及び右側長辺３４に設けられた場合に比べ、書類ホルダ１００を閉じた時の見栄えが良くなる。
【００５１】
以上においては、第１開口２９がポケット２の上側短辺２８及び右側長辺２６の一部２６１に形成された場合、及び、第２開口３９がポケット３の上側短辺３８及び左側長辺３６の一部３６１に形成された場合について説明した。
しかし、本実施の形態に係る書類ホルダ１００はこれに限るものでない。例えば、第１開口２９がポケット２の上側短辺２８及び左側長辺２４の上側一部に形成されても良く、第２開口３９がポケット３の上側短辺３８及び右側長辺３４の上側一部に形成されても良い。
【００５２】
ポケット２は、右側長辺２６において、右長辺溶着部２１及び第１開口２９（上側短辺２８側の一部２６１）の間に、右長辺溶着部２１と交差する方向に延びる第１交差溶着部２５が短線状に形成されている。換言すれば、右長辺溶着部２１における第１開口２９（上側短辺２８側の一部２６１）側の端に、第１交差溶着部２５が形成されている。
第１交差溶着部２５は右側長辺２６に沿って少なくとも２箇所に隔てて平行に形成されており、一方は右長辺溶着部２１の端に連設されている。また、第１交差溶着部２５は、ポケット２から連繋部４に跨るように設けられている。
【００５３】
このように、第１交差溶着部２５は、右長辺溶着部２１と交差する方向に延びるので、ポケット２の短手方向における溶着範囲が右長辺溶着部２１より広い。従って、右側長辺２６の辺縁部を第２シート部２ｂから剥がすように作用する力が右長辺溶着部２１に加わることを阻止できる。
【００５４】
ポケット３は、左側長辺３６において、左長辺溶着部３１及び第２開口３９（上側短辺３８側の一部３６１）の間に、左長辺溶着部３１と交差する方向に延びる第２交差溶着部３５が短線状に形成されている。換言すれば、左長辺溶着部３１における第２開口３９（上側短辺３８側の一部３６１）側の端に、第２交差溶着部３５が形成されている。
第２交差溶着部３５は左側長辺３６に沿って少なくとも２箇所に隔てて平行に形成されており、一方は左長辺溶着部３１の端に連設されている。また、第２交差溶着部３５は、ポケット２から連繋部４に跨るように設けられている。
【００５５】
このように、第２交差溶着部３５は、左長辺溶着部３１と交差する方向に延びるので、ポケット３の短手方向における溶着範囲が左長辺溶着部３１より広い。従って、左側長辺３６の辺縁部を第２シート部３ｂから剥がすように作用する力が左長辺溶着部３１に加わることを阻止できる。
【００５６】
例えば、ポケット２，３の大きさがＡ４用紙の大きさに対応するものである場合、第１交差溶着部２５及び第２交差溶着部３５は、夫々、上側短辺２８，３８から６０ｍｍ以内の位置に形成される。
【００５７】
本実施の形態に係る書類ホルダ１００においては、上述したように、第１交差溶着部２５を有するので、ユーザがポケット２において右側長辺２６の一部２６１をめくる場合、めくる力が右長辺溶着部２１に加わり、右側長辺２６の辺縁部が第２シート部２ｂから剥がれることを抑制できる。
また、本実施の形態に係る書類ホルダ１００においては、第２交差溶着部３５を有するので、ユーザがポケット３において左側長辺３６の一部３６１をめくる場合、めくる力が左長辺溶着部３１に加わり、左側長辺３６の辺縁部が第２シート部３ｂから剥がれることを抑制できる。
【００５８】
一方、連繋部４はポリプロピレン等の熱可塑性合成樹脂の１枚のシートからなる。連繋部４は短冊状であり、ポケット２の右側長辺２６及びポケット３の左側長辺３６を繋ぐ。より詳しくは、連繋部４は、第２シート部２ｂの右側端に連設され、第２シート部３ｂの左側端に連設されている。連繋部４は長手方向（上下方向）の長さがポケット２の右側長辺２６及びポケット３の左側長辺３６より短い。
【００５９】
また、連繋部４は、幅方向（左右方向）における中間部が背表紙部６に固定されている（図５参照）。連繋部４は、例えば溶着されている。即ち、連繋部４は幅方向（左右方向）における中間部に、長手方向（上下方向）に延びる溶着固定部４１を有する。
【００６０】
上述したように、ポケット２，３が２つのシート部からなることに対して、連繋部４は一枚のシートからなる。よって、連繋部４はポケット２，３より薄く、連繋部４が背表紙部６に溶着された場合、溶着固定部４１付近において盛り上がりが発生しない。従って、本実施の形態に係る書類ホルダ１００は、見開きの状態にて、ポケット２，３が平たな平面をなし、見栄えを良くなる。また、本実施の形態に係る書類ホルダ１００は、連繋部４が薄いので溶着固定部４１の付近が撓まず、ポケット２，３への書類等の収納が容易になる。
【００６１】
ポケット２は平面視右上頂点、ポケット３は平面視左上頂点に面取りが施されている（図２、図４参照）。即ち、ポケット２は右側長辺２６の上側短辺２８側の端部に面取り部２３が形成されており、ポケット３は左側長辺３６の上側短辺３８側の端部に面取り部３３が形成されている。
【００６２】
換言すれば、第１開口２９は、上側短辺２８に係る開口部２８１と、面取り部２３に係る開口部２３１と、右側長辺２６の一部２６１に係る開口部とからなる。また、第２開口３９は、上側短辺３８に係る開口部３８１と、面取り部３３に係る開口部３３１と、左側長辺３６の一部３６１に係る開口部とからなる。
【００６３】
以上の構成を有することから、本実施の形態に係る書類ホルダ１００においては、ユーザが、第１シート部２ａの面取り部２３付近をめくって第１開口２９を開ける場合、又は、第１シート部３ａの面取り部３３付近をめくって第２開口３９を開ける場合、ポケット２，３の平面視左上頂点に指先が刺されて傷を負うことを未然に防止できる。
【００６４】
以下、本実施の形態に係る書類ホルダ１００の製造方法について説明する。図８及び図９は、本実施の形態に係る書類ホルダ１００の製造方法を説明する説明図である。
【００６５】
ポケットペア体９の製造方法について説明する。ポケットペア体９は、同一矩形シート状の２つの部分３０，４０が重なり、２つの部分３０，４０の同士が短辺にて繋がることによって一体化された、シート環体５０から製造できる。即ち、シート環体５０は、筒状である一枚の可変な薄いシート材を平たくしたものである。
例えば、部分３０，４０は、ポリプロピレン等の熱可塑性合成樹脂からなり、大シート９ｂの大きさと等しい寸法を有する。ここで、部分３０（以下、一の部分と言う。）は第１シート部２ａ，３ａになる部分であり、部分４０（以下、他の部分と言う。）は大シート９ｂになる部分である。
【００６６】
先ず、一の部分３０の長手方向における中間部分を帯状に取り除く切断処理を行う。斯かる切断処理によって、一の部分３０は、図８に示すように、２つの矩形の剰余部分２ａｐ，３ａｐが形成される。剰余部分２ａｐは第１シート部２ａになる部分であり、剰余部分３ａｐは第１シート部３ａになる部分である。また、この際、ポケット２の左側長辺２４及びポケット３の右側長辺３４は既に形成されている。
【００６７】
次いで、２つの剰余部分２ａｐ，３ａｐにおいて互いに対向する一対の対向長辺２６ｐ，３６ｐを、夫々他の部分４０に接合する。この際、対向長辺２６ｐ，３６ｐでは、一端の一部を除いた部分にて他の部分４０との接合が行われる。即ち、対向長辺２６ｐにおいては剰余部分２ａｐの短辺２８ｐ側の一部を除いて他の部分４０との接合が行われ、対向長辺３６ｐにおいては剰余部分３ａｐの短辺３８ｐ側の一部を除いて他の部分４０との接合が行われる。
【００６８】
換言すれば、対向長辺２６ｐにおいては一部２６１（第１開口２９）に相当する部分を除いて他の部分４０に接合され、対向長辺３６ｐにおいては一部３６１（第２開口３９）に相当する部分を除いて他の部分４０に接合される。例えば、対向長辺２６ｐ，３６ｐは夫々他の部分４０に溶着される。
【００６９】
そして、剰余部分２ａｐにおいて短辺２８ｐと対向する短辺２７ｐと他の部分４０の長辺との接合が行われ、剰余部分３ａｐにおいて短辺３８ｐと対向する短辺３７ｐと他の部分４０の前記長辺との接合が行われる。これによって、ポケット２の下側短辺２７及びポケット３の下側短辺３７が形成される。
この際、大シート９ｂ（他の部分４０）における連繋部４に相当する連繋部相当部４ｐが画定される。
【００７０】
以降、連繋部相当部４ｐの上端部付近、剰余部分２ａｐの短辺２８ｐにおける連繋部相当部４ｐ側の端部、及び、剰余部分３ａｐの短辺３８ｐにおける連繋部相当部４ｐ側の端部を逆台形に切り取る。これによって、ポケットペア体９の面取り部２３，３３に相当する部分が形成される。
以上の工程によって、ポケット２，３及び連繋部４が形成され、ポケットペア体９が完成される（図９参照）。
【００７１】
このように製造された複数のポケットペア体９は、他の部分４０の長手方向の中間部（図９中、二点鎖線部分）、即ち、連繋部４において幅方向における中間部が背表紙部６に接合する。斯かる接合は、例えば溶着である。
【００７２】
（実施の形態２）
図１０は、実施の形態２に係る書類ホルダ１００を見開きした状態において、左右方向における中間部の上部を拡大して示す拡大図である。
【００７３】
ポケット２では、第１シート部２ａにおいて、第１開口２９（一部２６１）の端に第１切り欠き１０が形成されている。換言すれば、ポケット２は、右側長辺２６の一部２６１において、第１交差溶着部２５に隣り合うように、第１切り欠き１０が形成されている。
【００７４】
ポケット３では、第１シート部３ａにおいて、第２開口３９（一部３６１）の端に第２切り欠き２０が形成されている。換言すれば、ポケット３は、左側長辺３６の一部３６１において、第２交差溶着部３５に隣り合うように、第２切り欠き２０が形成されている。
【００７５】
従って、本実施の形態に係る書類ホルダ１００においては、ユーザがポケット２において右側長辺２６の一部２６１をめくる場合、めくる力が第１交差溶着部２５（右長辺溶着部２１）に加わり、右側長辺２６の辺縁部が第２シート部２ｂから剥がれることを抑制できる。
また、本実施の形態に係る書類ホルダ１００においては、ユーザがポケット３において左側長辺３６の一部３６１をめくる場合、めくる力が第２交差溶着部３５（左長辺溶着部３１）に加わり、左側長辺３６の辺縁部が第２シート部３ｂから剥がれることを抑制できる。
【００７６】
即ち、ユーザがポケット２の一部２６１をめくる場合、右側長辺２６の辺縁部を第２シート部２ｂから剥がそうとする力が第１交差溶着部２５（右長辺溶着部２１）に作用する。しかし、斯かる力は第１切り欠き１０によって分散され、弱くなる。従って、右側長辺２６の辺縁部が第２シート部２ｂから剥がれることを防止できる。
また、ユーザがポケット３の一部３６１をめくる場合、左側長辺３６の辺縁部を第２シート部３ｂから剥がそうとする力が第２交差溶着部３５（左長辺溶着部３１）に作用する。しかし、斯かる力は第２切り欠き２０によって分散され、弱くなる。従って、左側長辺３６の辺縁部が第２シート部３ｂから剥がれることを防止できる。
【００７７】
以上においては、第１切り欠き１０及び第２切り欠き２０が夫々円形である場合を例に挙げて説明したが、本実施の形態に係る書類ホルダ１００はこれに限るものでない。例えば、第１切り欠き１０及び第２切り欠き２０は、三角形、長円形、楕円形等であっても良い。
【００７８】
なお、ポケット２，３において第１切り欠き１０及び第２切り欠き２０を設けた場合は、第１交差溶着部２５，３５を省略しても良い。
【００７９】
実施の形態１と同様の部分については、同一の符号を付して詳細な説明を省略する。
【００８０】
本実施の形態においては、２つのポケット２，３及び連繋部４が一体形成された場合を例に挙げて説明したが、これに限るものではない。
ポケット２，３を夫々予め用意して置き、連繋部４にて繋ぐように構成しても良い。すなわち、第１シート部２ａに相当する１枚のシート及び第２シート部２ｂに相当する１枚のシートを重ねてこれらの３辺を接合してポケット２を製造し、第１シート部３ａに相当する１枚のシート及び第２シート部３ｂに相当する１枚のシートを重ねてこれらの３辺を接合してポケット３を製造したうえ、連繋部４にてポケット２，３を繋ぐようにしても良い。
【００８１】
また、第１シート部２ａに相当する１枚のシート及び第１シート部３ａに相当する１枚のシートと、大シート９ｂに相当する１枚のシートを重ねて接合することによって、ポケット２、３及び連繋部４を設けても良い。
【００８２】
また、本実施の形態においては、連繋部４の長手方向の寸法が、ポケット２，３の長手方向の寸法と略等しく、一つの連繋部４がポケット２，３同士の間に配置された場合を例に挙げて説明したが、これに限るものでない。
例えば、連繋部４を複数部分に分けて、所定間隔にて、ポケット２，３の長手方向に沿って、ポケット２，３同士の間に配置させても良い。
【符号の説明】
【００８３】
２，３  ポケット
２ａ  第１シート部
２ａｐ  剰余部分
２ｂ  第２シート部
３ａ  第１シート部
３ａｐ  剰余部分
３ｂ  第２シート部
４  連繋部
６  背表紙部
１０  第１切り欠き
２０  第２切り欠き
２１  右長辺溶着部
２３，３３  面取り部
２５，３５  交差溶着部
２６  右側長辺
２６ｐ，３６ｐ  対向長辺
２７ｐ  短辺
２８  上側短辺
２９  第１開口
２８ｐ  短辺
３０  一の部分
３１  左長辺溶着部
３６  左側長辺
３７ｐ  短辺
３８  上側短辺
３８ｐ  短辺
３９  第２開口
４０  他の部分
５０  シート環体
１００  書類ホルダ
【図１】
2020040305.tif 000003
【図２】
2020040305.tif 000004
【図３】
2020040305.tif 000005
【図４】
2020040305.tif 000006
【図５】
2020040305.tif 000007
【図６】
2020040305.tif 000008
【図７】
2020040305.tif 000009
【図８】
2020040305.tif 000010
【図９】
2020040305.tif 000011
【図１０】
2020040305.tif 000012